(57)【要約】【課題】第三者に情報が漏えいすることを抑制する手段を提供する。【解決手段】電子メールの送受信機能を備えた、携帯端末および画像形成装置を有する情報処理システムにおける情報処理方法であって、前記携帯端末が、保存されている電子メールデータの中から１つの電子メールデータの選択操作を受け付けるステップと、選択された前記電子メールデータから電子メールの宛先情報を抽出するステップと、前記画像形成装置が、該宛先情報を送信先として設定するステップと、を有する。【選択図】        図１
2020177586.tif 000002
【特許請求の範囲】
【請求項１】
電子メールの送受信機能を備えた、携帯端末および画像形成装置を有する情報処理システムにおける情報処理方法であって、
前記携帯端末が、保存されている電子メールデータの中から１つの電子メールデータの選択操作を受け付けるステップと、
選択された前記電子メールデータから電子メールの宛先情報を抽出するステップと、
前記画像形成装置が、該宛先情報を送信先として設定するステップと、
を有することを特徴とする情報処理方法。
【請求項２】
電子メールの送受信機能を備えた、携帯端末および画像形成装置を有する情報処理システムにおいて、
前記携帯端末は、
送受信した電子メールデータを記憶する記憶部と、
前記記憶部に保存されている電子メールデータの選択操作を受け付ける電子メール選択部と、
前記電子メール選択部で選択された電子メールデータを前記画像形成装置へ送信する送信部と、
を有し、
前記画像形成装置は、
前記携帯端末から電子メールデータを受信する受信部と、
前記受信部で受信した電子メールデータから電子メールの宛先情報を抽出し、該宛先情報を送信先とした電子メールを生成し、送信する制御部と、
を有し、
前記携帯端末は、前記記憶部に保存されている複数の電子メールデータの中から１つの電子メールデータの選択操作を受け付け、選択された電子メールデータを前記画像形成装置に送信し、
前記画像形成装置は、受信した電子メールデータから宛先情報を抽出し、該宛先情報を電子メールの送信先として設定することを特徴とする情報処理システム。
【請求項３】
請求項２に記載の情報処理システムにおいて、
前記画像形成装置は、前記電子メールデータに複数の宛先情報が含まれている場合、前記宛先情報の一覧を表示部に表示してユーザに該宛先情報の選択を促すことを特徴とする情報処理システム。
【請求項４】
請求項２または請求項３に記載の情報処理システムにおいて、
前記画像形成装置は、電子メールデータから抽出した宛先情報に対して電子メールを送信する場合、前記電子メールの送信元情報を選択可能に表示部に表示することを特徴とする情報処理システム。
【請求項５】
請求項２から請求項４のいずれか１項に記載の情報処理システムにおいて、
前記画像形成装置は、電子メールデータから抽出した宛先情報に対して電子メールを送信する場合、当該電子メールデータに含まれる電子メールの本文を引用して返信の電子メールを送信することを特徴とする情報処理システム。
【請求項６】
請求項２から請求項５のいずれか１項に記載の情報処理システムにおいて、
前記携帯端末は、前記電子メールデータに電子メールサーバのログインＩＤおよびパスワードを付加して前記画像形成装置へ送信し、
前記画像形成装置は、前記ログインＩＤおよび前記パスワードを使用して前記電子メールサーバにログインし、電子メールを送信することを特徴とする情報処理システム。
【発明の詳細な説明】
【技術分野】
【０００１】
本発明は、携帯端末と画像形成装置とが行う情報処理方法および携帯端末と画像形成装置とを有する情報処理システムに関する。
【背景技術】
【０００２】
従来の情報処理システムは、画像形成装置としての複合機から通信を行う場合、複合機または複合機に情報を送信できる携帯端末に登録されている宛先を選択または手動で入力するようにしている（例えば、特許文献１参照）。
【先行技術文献】
【特許文献】
【０００３】
【特許文献１】特開２００３−３１９０９３号公報
【発明の概要】
【発明が解決しようとする課題】
【０００４】
しかしながら、従来の技術においては、複数の宛先を設定する場合、煩雑な設定作業が強いられ、宛先を誤って設定して誤送信する可能性があり、第三者に情報が漏えいしてしまう虞があるという問題がある。
本発明は、このような問題を解決することを課題とし、第三者に情報が漏えいすることを抑制することを目的とする。
【課題を解決するための手段】
【０００５】
そのため、本発明は、電子メールの送受信機能を備えた、携帯端末および画像形成装置を有する情報処理システムにおける情報処理方法であって、前記携帯端末が、保存されている電子メールデータの中から１つの電子メールデータの選択操作を受け付けるステップと、選択された前記電子メールデータから電子メールの宛先情報を抽出するステップと、前記画像形成装置が、該宛先情報を送信先として設定するステップと、を有することを特徴とする。
【発明の効果】
【０００６】
このようにした本発明は、第三者に情報が漏えいすることを抑制することができるという効果が得られる。
【図面の簡単な説明】
【０００７】
【図１】実施例における情報処理システムの構成を示すブロック図
【図２】実施例における複合機の構成を示すブロック図
【図３】実施例における複合機のソフトウェア構成を示すブロック図
【図４】実施例における携帯端末の構成を示すブロック図
【図５】実施例における携帯端末のソフトウェア構成を示すブロック図
【図６】実施例におけるＳｃａｎＴｏＥｍａｉｌ処理の流れを示すフローチャート
【図７】実施例における電子メールの宛先の説明図
【発明を実施するための形態】
【０００８】
以下、図面を参照して本発明による情報処理方法および情報処理システムの実施例を説明する。
【実施例】
【０００９】
図１は実施例における情報処理システムの構成を示すブロック図である。
図１において、情報処理システム１は、画像形成装置としての複合機１００と、携帯端末２００とを有し、有線ネットワーク２に接続された複合機１００と、携帯端末２００とが無線ネットワーク３を介して通信可能に接続されたものである。
【００１０】
本実施例において無線ネットワーク３は、近距離無線通信としてのＮＦＣ（Ｎｅａｒ  Ｆｉｅｌｄ  Ｃｏｍｍｕｎｉｃａｔｉｏｎ）を用いるものとするが、ＢｌｕｅＴｏｏｔｈ（登録商標）等の近距離無線通信を用いても良い。
また、複合機１００は電子メールの送受信機能を備え、また携帯端末２００も電子メールの送受信機能を備えている。
【００１１】
図２は実施例における複合機の構成を示すブロック図である。
図２において、複合機１００は、画像の読取り機能、媒体に画像を形成する印刷機能、および電子メールの送受信機能や近距離無線通信機能を有するものである。この複合機１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ストレージ１０４と、ＮＩＣ（Ｎｅｔｗｏｒｋ  Ｉｎｔｅｒｆａｃｅ  Ｃａｒｄ）１０５と、ＮＦＣ１０６と、操作パネル１０７と、スキャナ１０８と、印刷装置１０９とをハードウェアとして有している。
【００１２】
制御部としてのＣＰＵ１０１は、演算手段および制御手段であり、ＲＯＭ１０２に格納された制御プログラム（ソフトウェア）に基づいて複合機１００全体の動作を制御するものである。
ＲＯＭ１０２は、ＮＩＣ１０５およびＮＦＣ１０６による通信制御、スキャナ１０８による読取制御、並びに印刷装置１０９による印刷制御等の複合機１００全体の動作を制御する制御プログラムを記憶する不揮発性の記憶部である。
【００１３】
ＲＡＭ１０３は、ＣＰＵ１０１が制御プログラムを実行する上で一時的に生じるデータや印刷データから画像形成した画像データ等を記憶する揮発性の記憶部である。
ストレージ１０４は、各種設定情報、ユーザ情報、および画像データ等を格納する不揮発性の記憶装置である。
【００１４】
ＮＩＣ１０５は、通信回線としての図１に示す有線ネットワーク２に接続され、通信回線に接続された他の装置との間で各種情報の送受信制御を行うものである。
ＮＦＣ１０６は、近距離無線通信を行うものであり、本実施例では、図１に示す携帯端末２００との間で各種情報の送受信制御を行うものである。
【００１５】
操作パネル１０７は、装置状態を表示するディスプレイ等の表示部と、ユーザによる入力操作を受け付けるキーやタッチパネル等の入力部とを有する入出力装置である。
スキャナ１０８は、媒体上の画像を読取り、画像データとしてＲＡＭ１０３に格納する画像読取装置である。
【００１６】
印刷装置１０９は、印刷媒体を収容し、画像形成制御プログラムがＲＡＭ１０３に格納された画像データに基づいて生成した画像を印刷媒体に形成するものである。
図３は実施例における複合機のソフトウェア構成を示すブロック図であり、複合機のソフトウェア構成を図２を参照しながら説明する。
【００１７】
図３において、複合機１００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）制御部１２０と、ＮＦＣ制御部１２１と、操作パネル制御部１２２と、認証部１２３と、スキャナ制御部１２４と、印刷制御部１２５と、表示制御部１２６とをソフトウェアとして有している。
ＴＣＰ／ＩＰ制御部１２０は、ＮＩＣ１０５を制御し、図１に示す有線ネットワーク２に接続された他の装置との間でＴＣＰ／ＩＰに基づいて情報の送受信を行うものである。本実施例のＴＣＰ／ＩＰ制御部１２０は、電子メールの送受信を行う。
【００１８】
ＮＦＣ制御部１２１は、ＮＦＣ１０６を制御し、図１に示す無線ネットワーク３を介して携帯端末２００との間で情報の送受信を行うものである。ＮＦＣ制御部１２１は、携帯端末２００から後述する電子メールデータを受信する受信部の機能を有するものである。
操作パネル制御部１２２は、操作パネル１０７を制御し、ユーザによる入力操作を受け付け、また装置の状態を表示出力するものである。
【００１９】
認証部１２３は、ＴＣＰ／ＩＰ制御部１２０またはＮＦＣ制御部１２１などを介して外部から入力された入力情報と、ストレージ１０４に登録されたユーザ情報とを照合し、ユーザ認証を行うものである。
スキャナ制御部１２４は、スキャナ１０８を制御し、媒体上の画像を読取り、画像データへの変換を行うものである。
【００２０】
印刷制御部１２５は、印刷装置１０９を制御し、印刷媒体に現像剤による画像を形成し、定着させて印刷を行うものである。
表示制御部１２６は、ＴＣＰ／ＩＰ制御部１２０またはＮＦＣ制御部１２１などを介して外部から入力された入力情報や複合機１００内部のソフトウェアからの要求により操作パネル１０７に表示する情報を操作パネル制御部１２２に指示し、また操作パネル制御部１２２を介して外部から入力した情報を複合機１００内部のソフトウェアに伝達するものである。
【００２１】
また、表示制御部１２６は、メール制御部１２７を有している。
制御部としてのメール制御部１２７は、外部から入力された入力情報に基づいて電子メールデータの生成、および電子メールの宛先（電子メール送信先アドレス）の設定を行うものである。
【００２２】
例えば、メール制御部１２７は、スキャナ制御部１２４で読取った画像データに基づいて電子メールデータを生成し、またＮＦＣ制御部１２１で受信した電子メールデータに基づいて電子メールの宛先（電子メール送信先アドレス）の設定を行う。
メール制御部１２７で生成された電子メールは、設定された宛先にＴＣＰ／ＩＰ制御部１２０により送信される。
【００２３】
図４は実施例における携帯端末の構成を示すブロック図である。
図４において、携帯端末２００は、電子メールの送受信機能や近距離無線通信機能を有するものである。この携帯端末２００は、ＣＰＵ２０１と、ＲＡＭ２０２と、ストレージ２０３と、タッチパネル２０４と、ＮＩＣ２０５と、ＮＦＣ２０６とをハードウェアとして有している。
【００２４】
制御部としてのＣＰＵ２０１は、演算手段および制御手段であり、ストレージ２０３に格納された制御プログラム（ソフトウェア）に基づいて携帯端末２００全体の動作を制御するものである。
ＲＡＭ２０２は、ストレージ２０３から読み出した制御プログラムを記憶し、またＣＰＵ１０１が制御プログラムを実行する上で一時的に生じるデータや印刷データから画像形成した画像データ等を記憶する揮発性の記憶部である。
【００２５】
記憶部としてのストレージ２０３は、ＯＳ（Ｏｐｅｒａｔｉｎｇ  Ｓｙｓｔｅｍ）、各種制御プログラム、ユーザ情報、およびソフトウェアとしての各種アプリケーションプログラム（以下、「アプリ」という。）等を格納する不揮発性の記憶装置である。
また、ストレージ２０３は、送受信したすべての電子メールのヘッダ情報や本文のデータを電子メールデータとして記憶し、保存する。電子メールのヘッダ情報には、当該電子メールの送信元アドレスや送信先アドレスの情報が含まれている。
【００２６】
タッチパネル２０４は、装置状態を表示するディスプレイ等の表示部と、ユーザによる入力操作を受け付ける入力部とを有する入出力装置である。
ＮＩＣ２０５は、無線通信回線に接続された他の装置との間で各種情報の送受信制御を行うものである。
【００２７】
ＮＦＣ２０６は、近距離無線通信を行うものであり、本実施例では、図１に示す複合機１００との間で各種情報の送受信制御を行うものである。
図５は実施例における携帯端末のソフトウェア構成を示すブロック図であり、携帯端末のソフトウェア構成を図４を参照しながら説明する。
【００２８】
図５において、携帯端末２００は、ＴＣＰ／ＩＰ制御部２２０と、ＮＦＣ制御部２２１と、タッチパネル制御部２２２と、専用アプリ２２３とをソフトウェアとして有している。
【００２９】
ＴＣＰ／ＩＰ制御部２２０は、ＮＩＣ２０５を制御し、図１に示す有線ネットワーク２に接続された他の装置との間でＴＣＰ／ＩＰに基づいて情報の送受信を行うものである。本実施例のＴＣＰ／ＩＰ制御部２２０は、電子メールの送受信を行う。
ＮＦＣ制御部２２１は、ＮＦＣ２０６を制御し、図１に示す無線ネットワーク３を介して複合機１００との間で情報の送受信を行うものである。
【００３０】
タッチパネル制御部２２２は、携帯端末２００内部のソフトウェアからの要求によりタッチパネル２０４に表示する情報をタッチパネル制御部２２２に指示し、またタッチパネル制御部２２２を介してタッチパネル２０４から入力した情報を携帯端末２００内部のソフトウェアに伝達するものである。
専用アプリ２２３は、メールデータ選択部２２４と、メールデータ送信部２２５とを有するものである。
【００３１】
電子メール選択部としてのメールデータ選択部２２４は、電子メールの送受信を行うメールアプリ等から電子メールデータの選択操作を受け付け、電子メールデータを選択するものである。メールデータ選択部２２４は、タッチパネル制御部２２２を介し、図２に示すストレージ２０３に保存された電子メールデータをタッチパネル２０４に表示し、表示した電子メールデータを選択する操作を受付けて電子メールデータを選択する。
【００３２】
送信部としてのメールデータ送信部２２５は、ＮＦＣ制御部２２１を介して複合機へ電子メールデータを送信するものである。メールデータ送信部２２５は、メールデータ選択部２２４で選択された電子メールデータを、ＮＦＣ制御部２２１を介して複合機１００に送信する。
【００３３】
このように構成された図１に示す情報処理システム１において、携帯端末２００は、ストレージ２０３に保存されている複数の電子メールデータの中から１つの電子メールデータの選択操作を受け付け、選択された電子メールデータを複合機１００に送信し、複合機１００は、受信した電子メールデータから宛先情報を抽出し、該宛先情報を電子メールの送信先として設定する。
【００３４】
上述した構成の作用について説明する。
情報処理システムが行うＳｃａｎＴｏＥｍａｉｌ処理を図６の実施例におけるＳｃａｎＴｏＥｍａｉｌ処理の流れを示すフローチャートの図中Ｓで表すステップに従って図１から図５を参照しながら説明する。
ここで、ＳｃａｎＴｏＥｍａｉｌとは、複合機１００で読取った画像を電子メールで送信する機能である。
【００３５】
本実施例の情報処理システム１が行うＳｃａｎＴｏＥｍａｉｌ処理は、複合機１００と携帯端末２００とが連携してＳｃａｎＴｏＥｍａｉｌ処理を行うものとして説明する。
【００３６】
Ｓ１：まず、ユーザの操作により、複合機１００の操作パネル１０７に表示されたメニュー画面においてＳｃａｎＴｏＥｍａｉｌ機能の実行が選択されるものとし、複合機１００は、操作パネル制御部１２２により、ＳｃａｎＴｏＥｍａｉｌ機能の選択操作を受け付ける。
【００３７】
Ｓ２：複合機１００は、表示制御部１２６により、スキャナ１０８で読取った画像データの送信先である宛先アドレスの入力方法を選択する画面を操作パネル１０７に表示し、その画面において、操作パネル制御部１２２により、宛先アドレスの入力方法を選択する操作を受け付ける。
宛先アドレスの入力方法は、アドレス帳からの入力、入力操作による手入力、および電子メールからの入力のいずれかである。
【００３８】
Ｓ３：複合機１００は、操作パネル制御部１２２により、アドレス帳からの入力が選択された否かを判定し、アドレス帳からの入力が選択されたと判定すると処理をＳ４へ移行し、アドレス帳からの入力が選択されていないと判定すると処理をＳ５へ移行する。
【００３９】
Ｓ４：複合機１００は、表示制御部１２６により、アドレス帳を表示する画面を操作パネル１０７に表示し、その画面において、操作パネル制御部１２２により、宛先アドレスを選択する操作を受け付け、処理をＳ１４へ移行する。
【００４０】
Ｓ５：複合機１００は、操作パネル制御部１２２により、手入力が選択された否かを判定し、手入力が選択されたと判定すると処理をＳ６へ移行し、手入力が選択されていないと判定すると処理をＳ７へ移行する。
【００４１】
Ｓ６：複合機１００は、表示制御部１２６により、アドレス入力画面を操作パネル１０７に表示し、そのアドレス入力画面において、操作パネル制御部１２２により、宛先アドレスを入力する操作を受け付け、処理をＳ１４へ移行する。
【００４２】
Ｓ７：複合機１００は、操作パネル制御部１２２により、電子メールからの入力が選択された否かを判定し、電子メールからの入力が選択されたと判定すると処理をＳ８へ移行し、電子メールからの入力が選択されていないと判定すると処理をＳ２へ戻す。
【００４３】
Ｓ８：複合機１００は、電子メールからの入力が選択されたと判定すると、表示制御部１２６により、携帯端末２００を操作して電子メールを送信することを誘導する画面を操作パネル１０７に表示する。
【００４４】
Ｓ９：複合機１００は、ＮＦＣ制御部１２１により、ＮＦＣの初期応答リクエストを送信し、携帯端末２００からの応答を待機する状態に遷移する。
【００４５】
Ｓ１０１：一方、ユーザは、Ｓ８において操作パネル１０７に表示された画面に従って携帯端末２００の専用アプリ２２３を起動する操作を行うものとする。携帯端末２００は、タッチパネル制御部２２２により専用アプリ２２３を起動する操作を受け付けると、専用アプリ２２３を起動する。
【００４６】
携帯端末２００は、専用アプリ２２３およびタッチパネル制御部２２２により、既に受信している受信済みの電子メールデータや送信済みの電子メールデータなどストレージ２０３に格納されたすべての電子メールデータをタッチパネル２０４に表示する。
【００４７】
Ｓ１０２：ユーザは、携帯端末２００のタッチパネル２０４に表示された電子メールデータを選択するものとする。携帯端末２００は、タッチパネル制御部２２２により、電子メールデータの選択操作を受け付ける。なお、選択される電子メールデータは、ストレージ２０３に格納されたすべての電子メールデータが対象となる。
【００４８】
Ｓ１０３：携帯端末２００は、タッチパネル制御部２２２により、ＮＦＣ制御部２２１による通信を行うため、携帯端末２００を複合機１００に近接させてタッチすることを指示する画面をタッチパネル２０４に表示する。
【００４９】
Ｓ１０４：ユーザは、携帯端末２００を複合機１００にタッチするものとする。携帯端末２００は、ＮＦＣ制御部２２１により、複合機１００からの初期応答リクエストに応答し、複合機１００とのＮＦＣ通信を確立する。
【００５０】
Ｓ１０：複合機１００は、認証部１２３により、ＮＦＣ通信を確立した携帯端末２００のユーザ認証が済んでいるか否かを判定し、ユーザ認証済みであると判定すると処理をＳ１２へ移行し、ユーザ認証済みでないと判定すると処理をＳ１１へ移行する。
【００５１】
Ｓ１１：複合機１００は、ユーザ認証済みでないと判定すると、ＮＦＣ制御部１２１により、認証処理として携帯端末２００に認証データを要求する認証要求を送信する。
【００５２】
Ｓ１０５：携帯端末２００は、ＮＦＣ制御部２２１により、複合機１００から認証要求を受信すると、複合機１００に認証データを送信する認証応答を行う。
複合機１００は、認証部１２３により、携帯端末２００から受信した認証データに基づいてユーザ認証を行うものとする。
【００５３】
Ｓ１２：複合機１００は、ＮＦＣ制御部１２１により、携帯端末２００に電子メールデータを要求するメールデータ要求を送信する。
【００５４】
Ｓ１０６：携帯端末２００は、メールデータ要求を受信すると、専用アプリ２２３のメールデータ選択部２２４により、電子メールデータを選択し、メールデータ送信部２２５およびＮＦＣ制御部２２１により、メールデータ選択部２２４で選択された電子メールデータを複合機１００に送信する。
【００５５】
電子メールデータの選択は、ＳｃａｎＴｏＥｍａｉｌ機能において複合機１００で読取った画像を電子メールで送信する宛先が記述された電子メールデータを選択するものであり、携帯端末２００のタッチパネル制御部２２２によりタッチパネル２０４に表示された電子メールデータ選択画面でユーザの操作により選択されるものとする。
【００５６】
Ｓ１３：複合機１００は、ＮＦＣ制御部１２１により、携帯端末２００から電子メールデータを受信すると、受信した電子メールデータのヘッダ情報から宛先アドレスをメール制御部１２７により抽出する。
【００５７】
複合機１００のメール制御部１２７は、例えば図７に示す電子メールデータのヘッダ情報において、当該電子メールデータが受信メールの場合、「Ｆｒｏｍ：」で示される送信元アドレス（例えば、ＡＡＡ＠ａｂｃ．ｃｏｍ）を抽出し、宛先アドレスとする。
なお、当該電子メールデータが送信済みメールの場合、「Ｔｏ：」および「Ｃｃ：」で示される送信先アドレス（ＢＢＢ＠ａｂｃ．ｃｏｍ、およびＣＤＦ＠ａｂｃ．ｃｏｍ）を抽出し、宛先アドレスとしても良い。
【００５８】
また、電子メールデータから抽出した宛先アドレスが複数存在する場合、メール制御部１２７は、操作パネル制御部１２２により、複数の宛先アドレスを操作パネル１０７に一覧として表示してユーザに宛先アドレスの選択を促し、１つまたは複数の宛先アドレスを選択するユーザの操作を受け付け、送信先アドレスを決定する。
【００５９】
さらに、本実施例では、複合機１００が携帯端末２００から受信した電子メールデータのヘッダ情報から宛先アドレスをメール制御部１２７により抽出するようにしたが、Ｓ１０６において、携帯端末２００が選択された電子メールデータのヘッダ情報から宛先アドレスを抽出し、複合機１００に送信するようにしても良い。
【００６０】
この場合も、電子メールデータから抽出した宛先アドレスが複数存在する場合、携帯端末２００は、タッチパネル制御部２２２により、複数の宛先アドレスをタッチパネル２０４に一覧として表示してユーザに宛先アドレスの選択を促し、１つまたは複数の宛先アドレスを選択するユーザの操作を受け付け、送信先アドレスを決定するものとする。
【００６１】
Ｓ１４：複合機１００は、アドレス帳から入力、手入力、または電子メールデータからの入力のいずれかの入力方法により入力された宛先アドレスを、メール制御部１２７により、電子メールの送信先アドレスとして決定し、設定する。
ここで、ユーザの操作により、電子メール送信先アドレスのＴｏ／Ｃｃ／Ｂｃｃといった属性変更、および送信元を複合機１００に予め設定された複合機自身のアドレスとするか、または抽出元の電子メールの「Ｔｏ：」で示されるアドレスとするかの選択も可能とする。
【００６２】
Ｓ１５：複合機１００は、スキャナ制御部１２４により、スキャナ１０８での画像読取りを行う（スキャン実行）。
【００６３】
Ｓ１６：複合機１００は、メール制御部１２７によりＳ１４において設定した送信先アドレスの電子メールに読取画像データを添付し、ＴＣＰ／ＩＰ制御部１２０により、当該送信先アドレスに送信し、本処理を終了する。
【００６４】
ここで、複合機１００は、受信済みの電子メールデータから宛先アドレスを決定して電子メールを送信する場合、当該電子メールデータに含まれる電子メールの本文を引用して返信の電子メールを送信するようにしても良い。本文を引用して電子メールを返信することにより、履歴付きの返信メールとすることができる。
また、複合機１００は、受信済みの電子メールデータから宛先アドレスを決定して電子メールを送信する場合、送信する電子メールの送信元をユーザの電子メールアドレスにするか、複合機１００の電子メールアドレスにするかをユーザの操作により選択できるようにしても良い。
【００６５】
このように、本実施例では、電子メールの送受信機能を備えた、携帯端末２００および複合機１００を有する情報処理システム１における情報処理方法であって、携帯端末２００が、保存されている電子メールデータの中から１つの電子メールデータの選択操作を受け付けるステップと、選択された電子メールデータから電子メールの宛先情報を抽出するステップと、複合機１００が、該宛先情報を送信先として設定するステップと、を有することにより、電子メールの宛先の誤入力を防ぎ、第三者に情報が漏えいすることを抑制することができる。
また、複合機１００のアドレス帳に登録されていない宛先であっても、簡便な操作で複合機１００からの電子メールの宛先を設定することができ、宛先の誤選択や手入力による誤入力を防ぐことができる。
【００６６】
さらに、電子メールの宛先が複数となる場合でも、電子メールデータを選択する操作のみの操作で複数の電子メールアドレスの設定が可能になり、宛先毎の設定操作が必要なくなり、ユーザの操作負担を軽減することができる。
なお、本実施例では、複合機１００から電子メールを直接送信するようにしたが、携帯端末２００からメールデータを受信するときに、ユーザのログインＩＤおよびパスワードも携帯端末２００から受信し、そのログインＩＤおよびパスワードを使用して電子メールサーバにログインして電子メールを送信するようにしても良い。これにより、複合機１００から送信した電子メールをユーザの送信履歴として電子メールサーバに残すことができる。
【００６７】
また、本実施例では、ＳｃａｎＴｏＥｍａｉｌ処理において電子メールを送信するものとして説明したが、それに限られることなく、電子メールを送信する機能を有する処理であれば他の処理であっても良い。
以上説明したように、本実施例では、電子メールの宛先の誤入力を防ぎ、第三者に情報が漏えいすることを抑制することができるという効果が得られる。
【００６８】
また、複合機のアドレス帳に登録されていない宛先であっても、簡便な操作で複合機からの電子メールの宛先を設定することができ、宛先の誤選択や手入力による誤入力を防ぐことができるという効果が得られる。
なお、本実施例では、複合機において電子メールデータから宛先アドレスを抽出する例で説明したが、携帯端末の専用アプリが電子メールデータから宛先アドレスを抽出し、抽出した宛先アドレスを複合機に送信するようにしても良い。
【符号の説明】
【００６９】
１    情報処理システム
２    有線ネットワーク
３    無線ネットワーク
１００  複合機
１０１、２０１  ＣＰＵ
１０２  ＲＯＭ
１０３、２０２  ＲＡＭ
１０４、２０３  ストレージ
１０５、２０５  ＮＩＣ
１０６、２０６  ＮＦＣ
１０７  操作パネル
１０８  スキャナ
１０９  印刷装置
１２０、２２０  ＴＣＰ／ＩＰ制御部
１２１、２２１  ＮＦＣ制御部
１２２  操作パネル制御部
１２３  認証部
１２４  スキャナ制御部
１２５  印刷制御部
１２６  表示制御部
２００  携帯端末
２０４  タッチパネル
２２２  タッチパネル制御部
２２３  専用アプリ
２２４  メールデータ選択部
２２５  メールデータ送信部
【図１】
2020177586.tif 000003
【図２】
2020177586.tif 000004
【図３】
2020177586.tif 000005
【図４】
2020177586.tif 000006
【図５】
2020177586.tif 000007
【図６】
2020177586.tif 000008
【図７】
2020177586.tif 000009